(57)【要約】【課題】  湿式の切花輸送ケースへの水の補給と切花の収納が同時作業できる切花輸送ケースを提供する。【解決手段】  湿式の切花輸送ケースを軟質樹脂製袋に水を入れること利用し、横にしても立てても水が漏洩しないものを開発したが、軟質樹脂製袋の口部の封緘および輸送ケースの装着作業が別の工程となり、このため、作業効率が悪くしている。  本発明は切花輸送ケースの、台座１４に台形で折り込められる切込１９を配設している。そして、前板６を開放させ、ケースを横あるいは上部を上げて傾斜の状態に置き、切込１９の裏側より軟質樹脂製袋の口部の一片を差し込み装着する。袋の口部を台座の頭部を被うようにすると口部を開いた状態で、たれ下げる。次に、切花の茎部、水を注入しゴムバンドを台座の切込フック２０にフックし固定するとケースへの装着が完了する。折曲片５ｅを箱の内側に折り込み、保持台と背面を固定・密着させる。【選択図】  図１
2005204553.tif 000002
【特許請求の範囲】
【請求項１】
水を入れた軟質樹脂製袋に切花の茎部を挿入し、その軟質樹脂製袋の口部が横にしたときに、一定の高さに保持できるため、水が袋から漏洩しない。その保持台をケースの底板で組み込ませ、立てた状態で輸送する切花輸送ケースにおいて
該保持台に軟質樹脂製袋を固定する切り込みを付したことを特徴とする切花輸送ケース。
【請求項２】
ケースの背面上に立ち上がらせた該保持台を背面と固定させるため、側面に切り込みを付したことを特徴とする切花輸送ケース。
【請求項３】
該保持台に切花を固定するため、保持台に切り込みのフックが配置されていることを特徴とする切花輸送ケース。
【発明の詳細な説明】
【技術分野】
【０００１】
本発明は、切花を立てた状態で輸送する湿式切花輸送ケースに関するものである。
【背景技術】
【０００２】
切花輸送ケースは、段ボールで組み立てられた横長で高さの低い扁平な直方体で、切花を横に収納しての輸送が、一般的に使用されている。
このため、収納された後は切花に水が補給されず、市場についた状態で、花が萎えて品質が劣化した状態になることがあった。
【０００３】
そこで、水を収納した容器などに、切花の茎部を挿入して、切花を立てた状態で輸送する方法が開発されている。
【０００４】
さらに、切花に水が補給でき、しかも横にした状態でも水が漏洩せず、切花に水を補給しながら、切花を立てた状態で輸送される切花ケースが開発された。
【０００５】
【特許文献１】実用新案登録番号  ３０９７７６２号
【発明の開示】
【発明が解決しようとする課題】
【０００６】
上記開発の包装箱は、切花に水を補給でき、横にした状態で水の漏洩がなく、切花を収納、取り出しのできるように開発されたケース、水を入れた軟質樹脂製袋に切花の茎部を挿入し、口部を封着する。そして、切花を横に寝せた状態でケースに収納する。このとき、その口部を一定の高さに保持できるよう、該口部が位置するあたりに背版から内側に突出する保持台が配設されている。
【０００７】
この発明では、水を入れた軟質樹脂製袋に切花の茎部を挿入し、口部をいったん封着後、保持台の上に収納し、さらに口部部分を保持台に粘着テープまたはヒモ等で再び装着・固定するために手間がかかる課題がある。
【０００８】
組み込まれた保持台はケースの背面に上乗せ状態にあるために、花の茎部を装着し、ケースを立てると保持台が前のめりとなり、背面から離れる課題がある。
【課題を解決するための手段】
【０００９】
本発明は、保持台の一部を折り返して設けられた切花の茎部を固定する台座にコの字の切り込みを入れる。
この切り込みに軟質樹脂袋の口部の一片を差し込み装着する。
軟質樹脂袋は差し込むだけで容易に脱落することがなく、台座に装着される。
同時に、袋の口部が開封される。ここに切花の茎部を同袋へ挿入、水の注入後にゴムバンドで台座に固定する。袋の口部の封着と台座への固定作業が同一化され、収納作業の省力化ができることを特徴としている。
【００１０】
台座の両端は凸の形状にカットされ、台座に軟質樹脂袋の口部すなわち切花の茎部をゴムバンドで装着するときのフックになることを特徴とする。
【００１１】
本発明は、切花輸送ケースの両側壁部にコの字形の切り込みと折れ線で折曲片が付され、箱の内側に折り曲げことができる。この切込片を、ケースの背面から突出し三角形に組み立てられた保持台の内側、背面に接するあごの部分に押し込ませ、背面と保持台を固定することを特徴としている。  
【発明の効果】
【００１２】
本発明は、軟質樹脂製袋の装着、切花の挿入、水の注入および台座への固定が一貫作業でできるため、切花の収納作業が容易となり、収納作業の省力化ができる利点がある。
【発明を実施するための最良の形態】
【００１３】
以下、本発明切花輸送ケースの実施の形態を図面に基づいて説明する。
図１に示すように切花輸送ケースは、段ボール紙で作られて縦長の直方体で、上面の上板７、下部の底板３、左右の左側板４と右側板５、背面の背板２、前面の前板６とで形成されている。そして、前面の前板６は開閉可能とし、背板２の下部の内側に三角形状に突出した保持台１０が形成されている。
【００１４】
ケース左体１ａには、背板２、右側版５および底板３、保持台１０を形成する折込板１１が配置され、背板２と右側版５、右側版５と底版３、底版３と折込板１１との境界には折り曲げ可能な折線２１，２２，２３が付けられている。
そして、背板２と折込板１１との境界には切込２４が付けられている。
【００１５】
また、右側版５には折曲片５ａを形成する折線５ｃがつけられ、上部には取手穴５ｂが設けられている。また、底版３には折曲片３ａ,３ｂを形成する折線３ｃ，３ｄが付けられている。なお、右側板５の折曲片５ａと底板３の折曲片３ａの境界は切込２４ａが付けられている。
【００１６】
この切花ケースを形成するには、図２で示す矩形状のケース右体１ａの折線２２に沿って底面３およびこれ接続する折込片１１を外側に折り曲げる。同様に図３で示すシート材１ｂの上面７および連接する折板８を折線２７にそって外側におりまげ、ケース右体１ａの折曲片３ｂを、ケース左体１ｂの左側板４の下端に、ケース左体１ｂの折曲片７ｂをケース右側５の上端になるように重ね接着すると２枚シートが、折りたたまれた状態の花ケースになる。
【００１７】
包装箱の底部（背面）を形成するために、折込板１１，折曲片４ａ，折曲片７ａ，背板２を折線２３，４ｃ，７ｃ，２１に沿って箱の内側に折り曲げ粘着テープ、ステープルなどで装着する。これにより、図１の前板６が開閉可能な切花輸送ケースの形態をなす。
【００１８】
折込板１１には、図２で右側部に２個の係止穴１２が設けられ、その左側部には、２個係止片１３を形成するコ字状の切込１３ａ内の部材には２本の折線１３ｂ，１３ｃが付けられている。
また、折込板１１には折線１７，１８が付けられ、さらに、中央部１４は切込１５と折線１６が付けられている。また、両端にはコの字形切込２０が付けられている。  
【００１９】
折り込み版１１の中央部１４にコの字形の切込１９ａと折線１９ｃが付けられ、コの字形の切込１９が形成されている。
【００２０】
保持台１０の組み立ては、折線１３ｃを折り曲げて係止片１３を起こし折線１３ｂで折り曲げ、折込板１１を折線１７，１８で折り曲げて、係止片１３を係止穴１２に差し込んで固定する。そして、中央部１４は折線１６で係止片１３と反対側（背板２側）へ折り曲げて、保持台先端部に台座１４を形成する。
折線１７と折線１８の間は組み立てられたときの保持台１０の上面は、背面と直角で平面となる。
【００２１】
保持台１０の組み立て後、右側部５の下位のコの字切込５ｄにより形成された折曲片
５ｅを折線５ｆに沿って、ケースの内側に折り込む、背面２と保持台１０が固定される。
同様に左側部４に形成された折曲片４ｅを折線４ｆに沿って折り込む。
【００２２】
一方、ケース右体１ｂには、前板６と左側板４、左側板４と上版７、上版７と折込板８との境界には折線２６、２７、２８が付けられている。そして、前板６と抑え板８との境界は切込２５が付けられている。
【００２３】
また、左側板４には折曲片４ａを形成する折線４ｃが付けられ、上部には取手穴４ｂが設けられている。また、上板７には、折曲片７ａ、７ｂを形成する折線７ｃ，７ｄが付けられている。なお、左側板４の折曲片４ａと上板７の折曲片７ａの境界は切込２９ａが付けられている。
【００２４】
ケース右体１ａは、図４（ａ）に示すように、折線２１、２２，２３で折り曲げて背板２と右側板５と底板３を形成する。
【００２５】
図４（ａ）では、保持台１０の組み立てられた状態を示している。
ケース左体１ｂは、図４（ｂ）に示すように、折線２６、２７で折り曲げて前板６と左側板４と上板７を形成する。そして、折込板８は折線２８で折り曲げて、切花の押さえ板を形成する。
【００２６】
この切花輸送ケースに、切花を収納するときは、前板６が上面になるように横または上部が上になるように傾斜をもたせ、図５に示すように、軟質樹脂製袋の口部の１片を台座１４に設けられた切込１９ａにより形成された切込１９の後ろ側より差し込み、台座の頭部を被せるようにセットする。
このとき、軟質樹脂製袋の口部が開いた状態になる。
【００２７】
この軟質樹脂製袋の口部より、切花の茎部を底部３に着くように挿入し、同じく水を注入する。このとき水の注入が切花の挿入より先であってもよい。
【００２８】
次に、切花の茎部が収められた軟質樹皮製袋の口部の首の部分をゴムバンドで台座のフック２０に装着し固定する。
ここの状態で軟質樹脂製袋の口部は保持台に乗って一定の高さを保っているので、水のこぼれることはない。
【００２９】
切花を収納したら、前板６を閉めて粘着テープで止め、縦置き状態に起こして、取手穴４ｂ、５ｂに手をかけて運搬する。輸送中、待機保管中は縦置き状態であるが、切花の選花・検査、市場におけるセリ台への搬入・搬出、ケースより花を取り出す場合は、横置きし、必要に応じ前板６開放する。
【図面の簡単な説明】
【００３０】
【図１】本発明の切花輸送ケースの前板を開いた状態の全体構成を示す斜視図である。
【図２】同  切花輸送ケースの材料の状態を示す右体１ａの表平面図である。
【図３】同  ケース左体の表平面図である。
【図４】同  切花輸送ケースの組み立て状態を示す斜視図で、（ａ）はケース右体１ａ、（ｂ）はケース左体１ｂである。
【図５】同  切花の収納時に保持台に装着された側面図である。
【符号の説明】
【００３１】
１…切花輸送ケース    １ａ…ケース右体  １ｂ…ケース左体    
２…背板      
３…底板    ３ａ，３ｂ…折曲片    ３ｃ，３ｄ…折線
４…左側版  ４ａ…折曲片    ４ｂ…取手穴    ４ｃ…折線    ４ｄ…切込線    
４ｅ…折曲片  ４ｆ…折線    
５…右側板  ５ａ…折曲片    ５ｂ…取手穴    ５ｃ…折線    ５ｄ…切込線    
５ｅ…折曲片    ５ｆ…折線  
６…前板    
７…上板    ７ａ，７ｂ…折曲片    ７ｃ，７ｄ…折線
８…折込板（押板）
１０…保持台      １１…折込板
１２…係止穴    
１３…係止材    １３ａ…切込    １３ｂ，１３ｃ…折線
１４…中央部
１５…切込      １６，１７，１８…折線
１９…切込    １９ａ…折線  
２０…切込  ２１，２２，２３…折線
２４，２４ａ，２５…切込    ２６，２７，２８…折線
２９ａ…切込      
３５…軟質樹脂製袋      ３６ａ…口部    ３７…ゴムバンド
【図１】
2005204553.tif 000003
【図２】
2005204553.tif 000004
【図３】
2005204553.tif 000005
【図４】
2005204553.tif 000006
【図５】
2005204553.tif 000007